(57)【要約】【課題】  防犯性能が高いとともに、施錠操作が簡単でかつ確実に施錠することができる開口部装置を提供する。【解決手段】  施錠装置Ｓが外障子７の召合せ框１４に設けられた錠受け３０と、内障子８の召合せ框２４に設けられたケース４１内に設けられた錠本体部４０とを備え、錠本体部は、室内外方向に移動可能に設けられ、操作部材６０の移動に連動して室外側に移動し、錠受けに挿入される第１移動部材５３と、第１移動部材に、径方向に移動可能にかつ付勢部材５３により径方向内方に付勢されて設けられた係合部材５２と、第１移動部材に、室内外方向に移動可能に設けられ、操作部材の移動に連動して室外側に移動し、第１移動部材が錠受けに挿入された際に、係合部材を付勢部材の付勢力に抗して径方向外方に移動させて係合部材を錠受けに係合させる第２移動部材５６と備えている。【選択図】    図２
2005315013.tif 000002
【特許請求の範囲】
【請求項１】
枠体内の室外側および室内側の少なくとも一方に、障子が摺動可能に設けられている開口部装置であって、
施錠装置が、室外側の前記障子あるいは嵌め殺し部の召合せ框に設けられた錠受けと、室内側の前記障子あるいは嵌め殺し部の召合せ框内、または該召合せ框に設けられたケース内に設けられた錠本体部とを備え、
前記錠本体部は、
室内外方向に移動可能に設けられ、操作部材の移動に連動して室外側に移動し、前記錠受けに挿入される第１移動部材と、
この第１移動部材に、該第１移動部材の径方向に移動可能にかつ付勢部材により径方向内方に付勢されて設けられた係合部材と、
前記第１移動部材に、室内外方向に移動可能に設けられ、前記操作部材の移動に連動して室外側に移動し、前記第１移動部材が前記錠受けに挿入された際に、前記係合部材を前記付勢部材の付勢力に抗して径方向外方に移動させて該係合部材を前記錠受けに係合させる第２移動部材と備えていることを特徴とする開口部装置。
【請求項２】
前記第１移動部材および前記第２移動部材はそれぞれ付勢部材により室内側に付勢されているとともに、前記第１移動部材および前記第２移動部材が前記操作部材により順次室外側に押し出されることを特徴とする請求項１に記載の開口部装置。
【請求項３】
前記第１移動部材および前記第２移動部材にそれぞれ係合部が設けられ、これらの各係合部にそれぞれ、前記操作部材に設けられた前記第１移動部材用案内部および前記第２移動部材用案内部が係合され、前記各係合部がそれぞれ、前記操作部材の前記各案内部により案内移動されることにより、前記第１移動部材および前記第２移動部材が移動することを特徴とする請求項１に記載の開口部装置。
【発明の詳細な説明】
【技術分野】
【０００１】
本発明は、引き違いサッシまたは片引きサッシ等のように、枠体内の室外側および室内側の少なくとも一方に、障子が摺動可能に設けられている開口部装置に関する。
【背景技術】
【０００２】
従来、引き違いサッシには、例えば、クレセント錠のような施錠装置が設けられている。このクレセント錠は、内障子の召合せ框に錠本体を取り付けるとともに、外障子の召合せ框に錠受けを取り付け、錠本体を回動しての係合部を錠受けに係合し施錠するものである。
しかしながら、このクレセント錠は、障子の一部を破って手を差し込み、簡単に解錠することが可能であるという問題がある。
【０００３】
そこで、障子が破られても解錠が難しい施錠装置を備えた引き違いサッシが種々提案されている。例えば、特許文献１には、室内側引戸の召合せ部と室外側引戸の召合せ部に、室内側から一連の施錠孔を開設し、室外側引戸の召合せ部には雌ねじ孔を設ける。そして、施錠孔の長さより短いねじ式の錠杆を、錠杆の後端部に凹凸で噛み合う操作片により回し、錠杆の先端部の雄ねじ部を錠施錠孔の雌ねじ孔にねじ込み、施錠するものが記載されている。
【０００４】
また、特許文献２には、外障子における召合せ框の室内側の面に形成された係合溝と、この係合溝に連通する内障子の召合せ框を室内外方向に貫通して形成された連通孔と、この連通孔に水平に差し込まれた操作棒および係合溝を上下に移動するアンカーを備えた錠本体とからなり、それらの係合溝または連通孔に、上方に持ち上げた状態でのみそのアンカーを連通孔側へ抜き出し可能な拡大部を設けたものなどが記載されている。
【０００５】
【特許文献１】実開平６−３２６４５号公報
【特許文献２】特開２００３−８２９０８号公報
【発明の開示】
【発明が解決しようとする課題】
【０００６】
しかしながら、特許文献１に記載の引き違いサッシにあっては、施錠装置の施錠がねじ結合により行われるので、芯出しが容易でなく、また施錠片を回転させてねじ込み操作を行うので、施錠操作に手間がかかる。
また、特許文献２に記載の引き違いサッシにあっては、施錠装置を施錠するために、係合溝または連通孔の拡大部に、錠本体のアンカーを位置合わせした後に、差し込む必要があり、施錠操作に手間がかかる。
【０００７】
本発明は、前記事情に鑑みて為されたもので、防犯性能が高いとともに、施錠操作が簡単でかつ確実に施錠することができる開口部装置を提供することを目的とする。
【課題を解決するための手段】
【０００８】
前記目的を達成するために、請求項１に記載の開口部装置は、枠体内の室外側および室内側の少なくとも一方に、障子が摺動可能に設けられている開口部装置であって、
施錠装置が、室外側の前記障子あるいは嵌め殺し部の召合せ框に設けられた錠受けと、室内側の前記障子あるいは嵌め殺し部の召合せ框内、または該召合せ框に設けられたケース内に設けられた錠本体部とを備え、
前記錠本体部は、
室内外方向に移動可能に設けられ、操作部材の移動に連動して室外側に移動し、前記錠受けに挿入される第１移動部材と、
この第１移動部材に、該第１移動部材の径方向に移動可能にかつ付勢部材により径方向内方に付勢されて設けられた係合部材と、
前記第１移動部材に、室内外方向に移動可能に設けられ、前記操作部材の移動に連動して室外側に移動し、前記第１移動部材が前記錠受けに挿入された際に、前記係合部材を前記付勢部材の付勢力に抗して径方向外方に移動させて該係合部材を前記錠受けに係合させる第２移動部材と備えていることを特徴とする。
【０００９】
請求項１に記載の発明においては、操作部材を移動させることにより、第１移動部材が錠受けに挿入され、第２移動部材により係合部材が付勢部材の付勢力に抗して第１移動部材の径方向外方に移動して錠受けに係合し、これにより施錠装置が施錠状態となる。
【００１０】
一方、操作部材を逆に移動させることにより、第２移動部材が室内側に戻り、その結果係合部材が付勢部材の付勢力により第１移動部材の径方向内方に戻り、第１移動部材が錠受けから離れて室内側に戻り、施錠装置が解錠状態となる。
【００１１】
請求項１に記載の発明において、施錠装置の操作部材は、通常、施錠時に操作部材を動かすことができないように、番号式の鍵等により鍵をかけられる。
また、操作部材は、手動で動かすようにしてもよいし、電動式などにして動力で動かすようにしてもよい。
【００１２】
請求項２に記載の開口部装置は、請求項１に記載の発明において、前記第１移動部材および前記第２移動部材はそれぞれ付勢部材により室内側に付勢されているとともに、前記第１移動部材および前記第２移動部材が前記操作部材により順次室外側に押し出されることを特徴とする。
【００１３】
請求項２に記載の発明においては、操作部材を移動させることにより、この操作部材により第１移動部材が付勢部材の付勢力に抗して室外側に押し出されて、第１移動部材が錠受けに挿入され、その後操作部材により付勢部材の付勢力に抗して室外側に押し出された第２移動部材によって、係合部材が付勢部材の付勢力に抗して第１移動部材の径方向外方に移動して係合部材が錠受けに係合し、施錠装置が施錠状態となる。
【００１４】
一方、操作部材を逆に移動させることにより、第２移動部材が付勢部材の付勢力により室内側に戻り、その結果係合部材が付勢部材の付勢力により第１移動部材の径方向内方に戻り、その後第１移動部材が付勢部材の付勢力により錠受けから離れて室内側に戻り、施錠装置が解錠状態となる。
【００１５】
請求項２に記載の発明において、第１移動部材および第２移動部材を操作部材で押し出すには、例えば、第１移動部材および第２移動部材の室内側端部にテーパ面を設けるとともに、操作部材にこれらの各テーパ面に当接して、これらの各テーパ面を押すテーパ面を設けるようにすればよいが、他の構成でももちろん良い。なお、テーパ面は、必ずしも第１移動部材および第２移動部材と操作部材との双方に設ける必要はなく、第１移動部材および第２移動部材にのみ、あるいは操作部材にのみ設けるようにしてもよい。また、テーパ面は、平面的に傾斜した面だけでなく、曲面状の斜めの面でもよい。
【００１６】
請求項３に記載の開口部装置は、請求項１に記載の発明において、前記第１移動部材および前記第２移動部材にそれぞれ係合部が設けられ、これらの各係合部にそれぞれ、前記操作部材に設けられた前記第１移動部材用案内部および前記第２移動部材用案内部が係合され、前記各係合部がそれぞれ、前記操作部材の前記各案内部により案内移動されることにより、前記第１移動部材および前記第２移動部材が移動することを特徴とする。
【００１７】
請求項３に記載の発明においては、操作部材を移動させることにより、第１移動部材用案内部および第２移動部材用案内部が移動し、第１移動部材用案内部が第１移動部材の係合部を室外側に移動させ、これにより第１移動部材が室外側に移動し、第１移動部材が錠受けに挿入される。また、第２移動部材用案内部が第２移動部材の係合部を室外側に移動させ、これにより第２移動部材が室外側に移動し、この第２移動部材により係合部材が付勢部材の付勢力に抗して第１移動部材の径方向外方に移動して、係合部材が錠受けに係合し、施錠装置が施錠状態となる。
【００１８】
一方、操作部材を逆に移動させることにより、第２移動部材用案内部が逆に移動し、第２移動部材用案内部が第２移動部材の係合部を室内側に移動させ、これにより第２移動部材が室内側に移動し、その結果係合部材が付勢部材の付勢力により第１移動部材の径方向内方に戻り、その後第１移動部材用案内部が第１移動部材の係合部を室内側に移動させ、これにより第１移動部材が錠受けから離れて室内側に戻り、施錠装置が解錠状態となる。
【００１９】
請求項３に記載の発明において、第１移動部材用案内部および第２移動部材用案内部は、例えば、案内孔あるいは案内溝等により構成することができ、一方第１移動部材および第２移動部材の各係合部は、例えば、これらの案内孔あるいは案内溝に挿入される係合棒等の係合突起部などにより構成することができる。
また、施錠装置の施錠動作の最後に、第１移動部材用案内部により、第１移動部材の係合部を少し室内側に移動させるようにすれば、第１移動部材は少し室内側に移動し、この第１移動部材の移動に伴って、係合部材が少し室内側に移動し、これにより障子の引き寄せを行うことができる。
【発明の効果】
【００２０】
請求項１ないし請求項３に記載の各開口部装置によれば、室内側の障子あるいは嵌め殺し部の召合せ框内、または該召合せ框に設けられたケース内に、施錠装置の錠本体部が設けられているので、室外から覗いても、施錠のタイプや施錠の状態が分かり難く、空き巣等が侵入を躊躇するため、防犯性能が高い。また、障子等の一部が破って施錠装置を解錠しようとした場合でも、錠本体が召合せ框内またはケース内に設けられているので、錠本体が見え難く、施錠方法が分かり難いため、解錠され難い。また、操作部材を移動させることにより、施錠状態および解錠状態にできるので、施錠操作および解錠操作が簡単であり、また電動式などの自動式にすることもできる利点がある。また、係合部材を第１移動部材の径方向外方に移動させて錠受けに係合することにより施錠するので、確実に施錠できるとともに、錠受けの挿入部と第１移動部材との芯出し精度が低くても、施錠できる。
【発明を実施するための最良の形態】
【００２１】
以下、本発明の実施の形態を図面に基づいて説明する。
図１〜図１０は、本発明の第１の実施の形態に係る引き違いサッシ（開口部装置）を示す図であって、図１は室内側からみた姿図であり、図２は要部の横断面図であり、図３は解錠状態の施錠装置の縦断面図であり、図４は錠受けを上側から見た図であり、図５は錠受けを室内側から見た図であり、図６は解錠状態の錠本体部を室外側から見た斜視図であり、図７は解錠状態の錠本体部を室内側から見た斜視図であり、図８は解錠状態の錠本体部の側面図であり、図９は解錠状態の錠本体部を室内側から見た図であり、図１０は解錠状態の錠本体部を上側から見た図である。
【００２２】
この２枚建ての引き違いサッシは、上枠１、下枠２および左右の縦枠３、４からなる枠体５と、この枠体５に水平移動自在に設けられた網戸６、外障子（障子）７および内障子（障子）８とを備えている。外障子７は、中空の上框１１、下框１２、戸先框１３および召合せ框１４とにより方形の框組体１５が組み立てられ、この框組体１５に複層ガラス１６が組み込まれて構成されている。また、内障子８は、中空の上框２１、下框２２、戸先框２３および召合せ框２４とにより方形の框組体２５が組み立てられ、この框組体２５に複層ガラス１６が組み込まれて構成されている。
上枠１、下枠２および左右の縦枠３、４、上框１１、下框１２、戸先框１３および召合せ框１４、ならびに上框２１、下框２２、戸先框２３および召合せ框２４は、例えば、アルミニウム合金製の押出形材からなる。
【００２３】
外障子７の召合せ框１４および内障子８の召合せ框２４には、真ん中より少し下側の位置に、施錠装置Ｓが設置されている。この施錠装置Ｓは、次のように構成されている。
すなわち、外障子７の召合せ框１４の室内側には、錠受け３０が設けられている。この錠受け３０は、召合せ框１４の室内側壁３２の室外側にその一端を当てられて、外障子７の面内側（戸先側）に延びる第１取付板３３と、召合せ框１４の室内側壁３２の室内側にその一端を当てられて、第１取付板３３に重ねられている第２取付板３４とが、召合せ框１４の室内側壁３２を挟んでねじにより固定されている。第２取付板３４の中央部には、円形の貫通孔３５が形成されており、また第１取付板３３には、室外側に窪んでいる扁平な円柱状の凹部３６が形成されている。凹部３６は、貫通孔３５と同心でかつ貫通孔３５より内径が大きく設定されており、貫通孔３５は凹部３６により室外側を覆われている。錠受け３０は、２枚の取付板３３、３４から構成され、第２取付板３４の長穴３７に沿って第２取付板３４の位置を第１取付板３３に対して移動させることにより、貫通孔３５の位置を調整することができる。
【００２４】
一方、内障子８の召合せ框２４には、錠本体部４０が設けられている。錠本体部４０は略四角箱状のケース４１を備えており、このケース４１に他の構成部材が収められている。ケース４１の一方の側壁４２が召合せ框２４の戸先と反対側の壁４４にねじ４５により固定されている。このねじ４５は、ケース４１の側壁４２およびこの側壁４２と対向する側壁４６に形成された貫通孔４７、４８を通して、側壁４６側から召合せ框２４の壁４４にねじ込まれ、これにより側壁４２が召合せ框２４の壁４４に固定される。貫通孔４８には蓋４９が取り付けられている。
【００２５】
ケース４１内には、室内外方向に延びる筒状の第１移動部材５０が室内外方向に移動可能に設けられている。この第１移動部材５０は、ばね（付勢部材）５１により室内側に付勢されている。第１移動部材５０の先端部（室外側端部）には、複数個（本例では左右の２個）の係合部材５２が第１移動部材５０の径方向に移動可能に設けられている。これらの係合部材５２は、ばね（付勢部材）５３により径方向内方に付勢されている。第１移動部材５０の後端部の上部には、テーパ面５４が形成されている。また、第１移動部材５０の外周部には、戸先側と反対側（ケース４１の側壁４６側）に、上下方向に延びる板状のねじ外し防止部材５５が設けられている。
【００２６】
第１移動部材５０内には、室内外方向に延びるピストン状の第２移動部材５６が室内外方向に移動可能に嵌入されている。この第２移動部材５６は、ばね（付勢部材）５７により室内側に付勢されている。第２移動部材５６の先端部には、先端に向かうにつれて漸次細くなる先細り部５８が形成されており、この先細り部５８が第１移動部材５０の係合部材５２の内周部に挿入されると、係合部材５２がばね５３の付勢力に抗して径方向外方に移動し、第１移動部材５０の外周部から外方に突出するようになっている。第２移動部材５６の後端部（室内側端部）の上部には、テーパ面５９が形成されている。
【００２７】
また、ケース４１内の室内側には、上下方向に延びる板状の操作部材６０が上下移動可能に設けられている。操作部材６０の下端にはテーパ面６１が形成されており、操作部材６０を下降させることにより、テーパ面６１が第１移動部材５０のテーパ面５４に当接し、第１移動部材５０をばね５１の付勢力に抗し室外側に押し出し、その後テーパ面６１が第２移動部材５６のテーパ面５９に当接し、第２移動部材５６をばね５７の付勢力に抗して室外側に押し出すようになっている。
【００２８】
第１移動部材５０は、係合部材５２がケース４１の室外側壁６３に形成された開口部６４から外方に突出し、錠受け３０の貫通孔３５を通過して凹部３６内に位置するまで、操作部材６０により押し出される。第１移動部材５０が操作部材６０により押し出された状態のとき、ねじ外し防止部材５５はケース４１を召合せ框２４に固定しているねじ４５を隠す位置に位置するようになっている。
【００２９】
また、第２移動部材５６は、先細り部５８がケース４１の開口部３９から外方に突出し、錠受け３０の貫通孔３５を通過して凹部３６内に突出し、先細り部５８が第１移動部材５０の係合部材５２の内周部に当接して、係合部材５２の外径が貫通孔３５の径より大きくなるように係合部材５２を径方向外方に押し開くまで、操作部材６０により押し出される。
操作部材６０には、室内側に突出する操作部６２が設けられており、この操作部６２はケース４１の室内側壁６３に形成された開口部６４を通して操作できるようになっている。この操作部材６０には、施錠時に操作部材６０を動かすことができないように、番号式鍵等の鍵（図示せず）により鍵をかけられる。
【００３０】
このように構成された引き違いサッシにおいて、施錠装置Ｓを施錠するには、操作部材６０の操作部６２を指で押し下げる。そうすると、操作部材６０が下降して行き、まず、操作部材６０のテーパ面６１が第１移動部材５０のテーパ面５４に当接して、第１移動部材５０をばね５１の付勢力に抗して室外側に押し出し、第１移動部材５０の係合部材５２が錠受け３０の貫通孔３５から凹部３６内に突出する。操作部材６０がさらに下降すると、操作部材６０のテーパ面６１が第２移動部材５６のテーパ面５９に当接して、第２移動部材５６をばね５７の付勢力に抗して室外側に押し出し、第２移動部材５６の先細り部５８が第１移動部材５０の係合部材５２の内周部に当接して、ばね５３の付勢力に抗して係合部材５２を径方向外方に押し開き、これにより係合部材５２の外径が貫通孔３５の径より大きくなり、係合部材５２が貫通孔３５から抜けなくなる。この施錠状態において、ねじ外し防止部材５５はケース４１を召合せ框２４に固定しているねじ４５を隠す位置に移動しており、ねじ４５を取り外すことができない。
【００３１】
一方、施錠装置Ｓを解錠するには、操作部材６０の操作部６２を指で引き上げる。そうすると、操作部材６０が上昇して行き、まず、操作部材６０のテーパ面６１が第２移動部材５６のテーパ面５９から離れて、第２移動部材５６がばね５７の付勢力により室内側に移動して、ケース４１内に戻され、これにより第２移動部材５６の先細り部５８が第１移動部材５０の係合部材５２の内周部から離れて、ばね５３の付勢力により係合部材５２が径方向内方に移動し、係合部材５２の外径が貫通孔３５の径より小さくなる。操作部材６０がさらに上昇すると、操作部材６０のテーパ面６１が第１移動部材５０のテーパ面５４から離れて、第１移動部材５０がばね５１の付勢力により室内側に移動して、ケース４１内に戻される。この解錠状態において、ねじ外し防止部材５５はケース４１を召合せ框２４に固定しているねじ４５を隠す位置から室内側の位置に移動しており、ねじ４５を取り外すことができる。
【００３２】
この引き違いサッシにあっては、内障子８の召合せ框２４に設けられたケース４１内に、施錠装置Ｓの錠本体部４０が設けられているので、引き違いサッシを室外から覗いても、施錠のタイプや施錠の状態が分かり難く、空き巣等が侵入をためらうため、防犯性能が高い。また、外障子７あるいは内障子８の一部が破って施錠装置Ｓを解錠しようとした場合でも、錠本体４０がケース４１内に設けられているので、錠本体４０が見え難く、施錠方法が分かり難いため、解錠され難い。また、操作部材６０を押し下げることにより、係合部材５２が錠受け３０に係合されて抜けなくなり、操作部材６０を引き上げることにより、係合部材５２の錠受け３０への係合が解除されるので、施錠操作および解錠操作が簡単である。また、操作部材６０を移動させればよいので、電動式などの自動式にするのも容易である。また、係合部材５２を錠受け３０に係合させることにより施錠するので、錠受け３０の貫通孔３５と第１移動部材５０との芯出し精度が低くても、確実に施錠を行うことができる。さらに、施錠操作すると、ねじ外し防止部材５５がケース４１を召合せ框２４に固定しているねじ４５を隠すので、錠本体部４０を内障子８から取り外すのを防止することができ、防犯性能が高い。また、クレセント錠などの施錠装置が設置されている引き違いサッシにおいて、クレセント錠に代えて、施錠装置Ｓを容易に設置することができる。
【００３３】
図１１〜図２０は、本発明の第２の実施の形態に係る引き違いサッシ（開口部装置）を示す図であって、図１１は要部の横断面図であり、図１２は施錠装置の要部の縦断面図であり、図１３は解錠状態の錠本体部を室外側から見た斜視図であり、図１４は解錠状態の錠本体部を室内側から見た斜視図であり、図１５は解錠状態の錠本体部の側面図であり、図１６は解錠状態の錠本体部を室内側から見た図であり、図１７は解錠状態の錠本体部を上側から見た図であり、図１８は錠受けの側面図であり、図１９は錠受けを室内側から見た図であり、図２０は錠受けを上側から見た図である。なお、図１１〜図２０において、第１の実施の形態に係る図１１〜図２０と同様の構成要素には同一符号を付してその説明を省略または簡略化する。
【００３４】
この実施の形態では、施錠装置Ｓ１が内臓式になっている。すなわち、施錠装置Ｓ１の錠本体部４０Ａは、第１移動部材５０、係合部材５２、第２移動部材５６および操作部材６０などが取付ケース６５に収められており、この取付ケース６５が内障子８の召合せ框２４内に取り付けられている。また、板状の錠受け３０Ａは、外障子７の召合せ框１４の室内側壁３２の室内側面に固定されている。
【００３５】
第１移動部材５０を室内外方向に移動可能に収納している取付ケース６５の筒部６６の室外側端部は、召合せ框２４の室外側壁６７を貫通し、筒部６６の室外側端面は、室外側壁６７の室外側面と面一になっている。本実施の形態では、第１移動部材５０は横断面形状が楕円形に形成されており、これに合わせて錠受け３０Ａの貫通孔３５も楕円形に形成されている。また、係合部材５２は本例では上下に２個設けられている。
【００３６】
また、召合せ框２４の室内側には、上下方向に連続して延びる溝６８が形成されており、この溝６８に板状の溝蓋６９が複数個のねじ７０により固定されている。溝蓋６９を複数個のねじ７０で取り付けることにより、ガラス１６の一部が破られ、この溝蓋６９を取り外して錠本体部４０Ａが取り外されるのをし難くしている。召合せ框２４の室内側には、断熱効果を高めるために、合成樹脂製の屋内側部材７１が取り付けられている。なお、本実施の形態では、取付ケース６５が召合せ框２４にねじにより固定された後、溝蓋６９が取り付けられるので、ねじ外し防止部材は設けられていない。
【００３７】
操作部材６０は、召合せ框２４の室内側に配置されており、その操作部６２は、召合せ框２４の部分、より具体的には屋内側部材７１から外側に突出しないようになっており、これにより召合せ框２４の側面から施錠装置Ｓ１の操作位置がわからないようにして、防犯性能を高めている。本実施の形態においても、操作部材６０には、施錠時に操作部材６０を動かすことができないように、番号式鍵等の鍵（図示せず）により鍵をかけられる。
【００３８】
操作部材６０には、梯子状レール（ラックレール）７３が固定されており、この梯子状レール７３には歯車（ピニオン）７４は噛み合い、さらにこの歯車７４には、障子持ち上げ防止ストッパ７５に形成された梯子状レール７６が噛みあっている。これにより、操作部材６０が、下降して施錠位置になったときに、梯子状レール７３、歯車７４および梯子状レール７６によるラック＆ピニオン機構により、障子持ち上げ防止ストッパ７５が上昇して、その上端部が躯体側に当接または接近し、これにより内障子８が持ち上げられ、内障子８および外障子が一緒に取り外されるのを防止される。
【００３９】
このように構成された引き違いサッシにおいて、施錠装置Ｓ１を施錠するには、操作部材６０の操作部６２を指で押し下げる。そうすると、第１の実施の形態の場合と同様に、操作部材６０が下降して行き、これにより、まず、第１移動部材５０がばね５１の付勢力に抗して室外側に押し出され、第１移動部材５０の係合部材５２が錠受け３０Ａの貫通孔３５から召合せ框１４内に突出する。操作部材６０がさらに下降すると、第２移動部材５６がばね５７の付勢力に抗して室外側に押し出され、これにより係合部材５２の外径が貫通孔３５の径より大きくなり、係合部材５２が貫通孔３５から抜けなくなる。この施錠状態において、梯子状レール７３、歯車７４および梯子状レール７６によるラック＆ピニオン機構により、障子持ち上げ防止ストッパ７５が上昇し、その上端部が躯体側に当接または接近しており、これにより内障子８が持ち上げられ、内障子８および外障子が一緒に取り外されるのを防止される。
【００４０】
一方、施錠装置Ｓ１を解錠するには、操作部材６０の操作部６２を指で引き上げる。そうすると、操作部材６０が上昇して行き、第１の実施の形態の場合と同様にして、まず、第２移動部材５６がばね５７の付勢力により召合せ框２４内に戻され、これによりばね５３の付勢力により係合部材５２が径方向内方に移動し、係合部材５２の外径が貫通孔３５の径より小さくなる。操作部材６０がさらに上昇すると、第１移動部材５０がばね５１の付勢力により召合せ框２４内に戻される。この解錠状態において、障子持ち上げ防止ストッパ７５は下降して元の位置に戻っており、内障子８を持ち上げることが可能になっている。
【００４１】
この引き違いサッシにあっては、内障子８の召合せ框２４内に、施錠装置Ｓ１の錠本体部４０Ａが設けられているので、引き違いサッシを室外から覗いても、施錠のタイプや施錠の状態が分かり難く、空き巣等が侵入をためらうため、防犯性能が高い。また、外障子７あるいは内障子８の一部が破って施錠装置Ｓ１を解錠しようとした場合でも、錠本体４０Ａが召合せ框２４内に設けられているので、錠本体４０Ａが見え難く、施錠方法が分かり難いため、解錠され難い。操作部材６０を押し下げることにより、係合部材５２が錠受け３０Ａに係合されて抜けなくなり、操作部材６０を引き上げることにより、係合部材５２の錠受け３０Ａへの係合が解除されるので、施錠操作および解錠操作が簡単である。また、操作部材６０を移動させればよいので、電動式などの自動式にするのも容易である。また、係合部材５２を錠受け３０Ａに係合させることにより施錠するので、錠受け３０の貫通孔３５と第１移動部材５０との芯出し精度が低くても、確実に施錠を行うことができる。また、施錠装置Ｓの錠本体部４０Ａが召合せ框２４に内蔵されており、外側から見えないので、防犯性能が高い。さらに、錠本体部４０Ａを召合せ框２４内に取り付けた後に、溝蓋６９を複数個のねじ７０により固定しているので、錠本体部４０Ａを取り外すのが容易でなく、防犯性能が高い。さらには、施錠状操作すると、障子持ち上げ防止ストッパ７５が上昇し、その上端部が躯体側に当接または接近し、内障子８および外障子が一緒に取り外すことができなくなるので、防犯性能がさらに高い。
【００４２】
図２１〜図３７は、本発明の第３の実施の形態に係る引き違いサッシ（開口部装置）を示す図であって、図２１は横断面図であり、図２２は召合せ框部を室内側から見た斜視図であり、図２３は内部の概略構成を示す状態で召合せ框部を室内側から見た斜視図であり、図２４は解錠状態の施錠装置の側面図であり、図２５は施錠状態の施錠装置の側面図であり、図２６は錠受けの側面図であり、図２７は錠受けを室内側から見た図であり、図２８は錠受けを上側から見た図であり、図２９は解錠状態の錠本体部の側面図であり、図３０は解錠状態の錠本体部を室内側から見た図であり、図３１は解錠状態の錠本体部を上側から見た図であり、図３２は施錠途中の錠本体部の側面図であり、図３３は施錠途中の錠本体部を室内側から見た図であり、図３４は施錠途中の錠本体部を上側から見た図であり、図３５は施錠状態の錠本体部の側面図であり、図３６は施錠状態の錠本体部を室内側から見た図であり、図３７は施錠状態の錠本体部を上側から見た図である。なお、図２１〜図３７の各図において、図１および図２と同様の構成要素には同一符号を付してその説明を省略または簡略化する。
【００４３】
この実施の形態では、施錠装置Ｓ２が次のように内臓式に構成されている。
すなわち、外障子７の召合せ框１４の室内側壁３２の室外側面には、錠受け３０Ｂが固定されている。この錠受け３０Ｂは、召合せ框１４の室内側壁３２の室外側面に、ねじにより取り付けられた横断面形状が略コ字状の取付板８１と、この取付板８１の内側（室外側）に取り付けられた断面形状が略コ字状の錠受け本体８２とから構成されている。取付板８１の中央部には四角状の貫通孔８３が形成され、錠受け本体８２の中央部には、貫通孔８３内に収まる四角状の貫通孔８４が形成されている。これらの貫通孔８３、８４は、召合せ框１４の室内側壁３２の開口部に面している。錠受け３０Ｂは、取付板８１の長穴８６に沿って錠受け本体８２の位置を取付板８１に対して移動させることにより、貫通孔８４の位置を調整することができる。
【００４４】
一方、内障子８の召合せ框２４内には、錠本体部４０Ｂが設けられている。錠本体部４０Ｂは上下が開口している取付ケース８７を備えており、この取付ケース８７が内障子８の召合せ框２４内に取り付けられている。取付ケース８７内には、室内外方向に延びる四角筒状の支持部材８８が設けられており、この支持部材８８に四角筒状の第１移動部材９１が室内外方向に移動可能に嵌入されている。この第１移動部材９１の後端部（室内側端部）の上部には、室内外方向と直交しかつ水平に延びる係合棒（係合部）９２が挿入されている。支持部材８８の両側板部９３、９３には、室内外方向に水平に延びる支持孔９４、９４が形成されており、これらの支持孔９４、９４に係合棒９２の両端部が支持されている。
また、第１移動部材９１の先端部（室外側端部）には、上下に配置された２個の係合部材９５が第１移動部材５０の上下方向に移動可能に設けられている。これらの係合部材９５は、ばね（付勢部材）９６より互いに接近するように付勢されている。
【００４５】
第１移動部材９１内には、室内外方向に延びるピストン状の第２移動部材９８が室内外方向に移動可能に嵌入されている。この第２移動部材９８の後端部（室内側端部）の中央部には、室内外方向と直交しかつ水平に延びる係合棒（係合部）９９が挿入されている。この係合棒９９の両端部は、両側板部９３に形成された室内外方向に水平に延びる支持孔１０１に支持されている。第１移動部材９１には、この係合棒９９が室内外方向に移動するときに、この係合棒９９の移動を妨げないように、室内外方向に水平に延びる逃げ孔１０２が形成されている。第２移動部材９８の先端部には、側面視において三角形状の先細り部１０３が形成されており、この先細り部１０３が第１移動部材９１の２つの係合部材９５の間に挿入されると、各係合部材９５がばね９６の付勢力に抗して互いに離れるように移動し、第１移動部材９１の外周部から外方に突出するようになっている。先細り部１０３は、室外側から見ると真ん中に隙間が形成され左右に分離している。
【００４６】
また、取付ケース８７内には、横断面形状がコ字状で上下方向に延びている操作部材１０５が、支持部材８８の両側板部９３および室内側端部の外側に、上下移動可能に設けられている。この操作部材１０５には、室内側に突出する操作部１０６が設けられており、この操作部１０６は、取付ケース８７の室内側に形成された開口部１０７を通して操作できるようになっている。
【００４７】
操作部材１０５の各側板部１０８には、第１移動部材９１の係合棒９２および第２移動部材９８の係合棒９９の両端部がそれぞれ挿通されている線状の案内孔（案内部）１２１および案内孔（案内部）１２２が形成されている。案内孔１２１は、下側から上側に向かって、最初の部分は上に向かうにつれて漸次室外側に向かうような斜線状に延びる傾斜部１２１ａと、続いて上方に直線状に延びる垂直部１２１ｂと、続いて上に向かうにつれて漸次室内側に向かうような斜線状に少し延びる逆傾斜部１２１ｃと、最後に上方に若干直線状に延びている最終垂直部１２１ｄとを有している。一方、案内孔１２２は、下側から上側に向かって、最初、案内孔１２１の下端の下方から始まり、案内孔１２１の室外側を案内孔１２１に沿って斜線状に延び、案内孔１２１が斜線状から上方に直線状に移る地点を過ぎてもさらにそのまま少し斜線状に延びている傾斜部１２２ａと、続いて上方に直線状に延びている垂直部１２２ｂとを有している。
【００４８】
また、取付ケース８７の下部には、番号式の鍵１２５が設置されている。この鍵１２５は、設定された番号にしないと鍵が開かないようになっており、番号部１２６の複数（ここでは２つ）の番号を所定の数字にすると、つまみ１２６を横に移動させて鉤部１２７を横移動させることができるようになっている。操作部材１０５が最下端の位置するときに、鉤部１２７を横移動させると、操作部材１０５の下端部の係合部１２８に鉤部１２７が引っ掛かる。なお、この番号式鍵１２５は、使用者が番号を自由に設定し直すことができるタイプのものを用いるのが好ましい。
【００４９】
このように構成された引き違いサッシにおいて、施錠装置Ｓ２を施錠するには、操作部材１０５の操作部１０６を指で押し下げる。そうすると、操作部材１０５が下降して行き、この操作部材１０５の下降に伴って案内孔１２１および案内孔１２２が下降し、第１移動部材９１の係合棒９２および第２移動部材９８の係合棒９９がそれぞれ、これらの案内孔１２１および案内孔１２２の移動によって室内外方向に強制的に移動する。すなわち、最初、第１移動部材９１の係合棒９２および第２移動部材９８の係合棒９９がそれぞれ、案内孔１２１の傾斜部１２１ａの下端部および案内孔１２２の傾斜部１２２ａの下端部に位置しており、その後操作部材１０５が下降するにつれて、係合棒９２および係合棒９９はともに、案内孔１２１の傾斜部１２１ａおよび案内孔１２２の傾斜部１２２ａにより強制移動され、支持孔９４、１０１に沿って室外方向に移動する。
【００５０】
その後、操作部材１０５がさらに下降し、第１移動部材９１の係合棒９２が案内孔１２１の傾斜部１２１ａの上端部の位置にくると、係合部材９５が錠受け３０Ｂの錠受け本体８２の室外側に位置する。その後、操作部材１０５がさらに下降しても、第１移動部材９１の係合棒９２が案内孔１２１の垂直部１２１ｂに位置している間は、第１移動部材９１は動くことなく、その位置に留まっている。一方、第１移動部材９１の係合棒９２が案内孔１２１の傾斜部１２１ａから垂直部１２１ｂに移行しても、第２移動部材９８の係合棒９９は依然として案内孔１２２の傾斜部１２２ａに位置しているので、第２移動部材９８は室外方向に移動し続ける。その結果、第２移動部材９８の先細り部１０３が第１移動部材９１の２つの係合部材９５の間に挿入し、各係合部材９５をばね９６の付勢力に抗して互いに離れるように移動させ、各係合部材９５を第１移動部材９１の外周部から外方に突出させ、各係合部材９５の外側端部をそれぞれ錠受け３０Ｂの錠受け本体８２の貫通孔８４の上下端よりも外方に位置させ、これにより係合部材９５が貫通孔８４から抜けなくなる。
【００５１】
その後、操作部材１０５がさらに下降すると、第２移動部材９８の係合棒９９が案内孔１２２の垂直部１２２ｂに移行するとともに、第１移動部材９１の係合棒９２が案内孔１２１の逆傾斜部１２１ｃに移行し、第２移動部材９８が動くことなく、その位置に留まっているとともに、第１移動部材９１が室内側に少し移動する。この第１移動部材９１の室内側への移動により、係合部材９５で錠受け３０Ｂの錠受け本体８２が室内側に移動させられ、これにより外障子７の引き寄せが行われる。
【００５２】
操作部材１０５の下降の最後には、第１移動部材９１の係合棒９２が案内孔１２１の逆傾斜部１２１ｃから最終垂直部１２１ｄに移行し、第１移動部材９１は動くことなく、その位置に留まる。
その後、番号式鍵１２５を操作して、その鉤部１２７を操作部材１０５の下端部の係合部１２８に引っ掛ける。
【００５３】
一方、施錠装置Ｓ２を解錠するには、まず、番号式鍵１２５を操作して、その鉤部１２７を操作部材１０５の下端部の係合部１２８から離す。
その後、操作部材１０５の操作部１０６を指で引き上げる。そうすると、操作部材１０５が上昇して行き、第１移動部材９１および第２移動部材９８が施錠操作と逆の手順で動作する。
【００５４】
すなわち、最初、第１移動部材９１の係合棒９２が案内孔１２１の最終垂直部１２１ｄにほんの少しの間位置しており、第１移動部材９１の動くことなく、その位置に留まっており、その後、第１移動部材９１の係合棒９２が案内孔１２１の逆傾斜部１２１ｃに移行すると、第１移動部材９１が室内側に少し移動し、これにより係合部材９５が錠受け３０Ｂの錠受け本体８２から少し離れる。一方、第１移動部材９１が案内孔１２１の最終垂直部１２１ｄおよび逆傾斜部１２１ｃに位置している間、第２移動部材９８は案内孔１２２の垂直部１２２ｂに位置しており、第２移動部材９８は動くことなく、その位置に留まっている。
【００５５】
その後、操作部材１０５がさらに上昇して行くと、第１移動部材９１の係合棒９２が案内孔１２１の逆傾斜部１２１ｃから垂直部１２１ｂに移行し、第１移動部材９１は動くことなく、その位置に留まる。一方、第２移動部材９８は案内孔１２２の垂直部１２２ｂから傾斜部１２２ａに移行し、第２移動部材９８は室内側に移動する。その結果、第２移動部材９８の先細り部１０３が第１移動部材９１の２つの係合部材９５の間から抜け出して行き、各係合部材９５をばね９６の付勢力により互いに接近するように移動させ、各係合部材９５が第１移動部材９１の外周部から外方に突出しなくなる。
【００５６】
その後、操作部材１０５がさらに上昇していくと、第２移動部材９８はさらに室内側に移動する。一方、第１移動部材９１の係合棒９２が案内孔１２１の垂直部１２１ｂから傾斜部１２１ａに移行すると、第１移動部材９１も室内側に移動し始め、その後は第２移動部材９８および第１移動部材９１が一緒に移動し、元の位置に戻る。
【００５７】
この引き違いサッシにあっては、内障子８の召合せ框２４内に、施錠装置Ｓ２の錠本体部４０Ｂが設けられているので、引き違いサッシを室外から覗いても、施錠のタイプや施錠の状態が分かり難く、空き巣等が侵入をためらうため、防犯性能が高い。また、外障子７あるいは内障子８の一部が破って施錠装置Ｓ２を解錠しようとした場合でも、錠本体４０Ｂが召合せ框２４内に設けられているので、錠本体４０Ａが見え難く、施錠方法が分かり難いため、解錠され難い。操作部材１０５を押し下げることにより、係合部材９５が錠受け３０Ｂに係合されて抜けなくなり、操作部材１０５を引き上げることにより、係合部材９５の錠受け３０への係合が解除されるので、施錠操作および解錠操作が簡単である。また、操作部材６０を移動させればよいので、電動式などの自動式にするのも容易である。また、案内孔１２１に逆傾斜部１２１ｃを設けて、内障子７の引き寄せを行うようにしたので、内障子７と外障子８との間のがたつきを防止することができる。また、係合部材９５を錠受け３０Ｂに係合させることにより施錠するので、錠受け３０Ｂの貫通孔８４と第１移動部材９１との芯出し精度が低くても、確実に施錠を行うことができる。
【００５８】
以上、この発明を実施の形態により説明したが、この発明はこれに限られるものではなく、発明の趣旨に添って種々の改変が可能である。例えば、上述の実施の形態では、外障子および内障子を設けたが、これに代えて、外障子、中障子および内障子を設けるようにしてもよい。また、上述の実施の形態では、本発明を２枚建ての引き違いサッシに適用した場合について説明したが、本発明は、例えば、４枚建ての引き違いサッシ等にも適用することができる。さらに、片引きサッシなどにも適用することができる。
【図面の簡単な説明】
【００５９】
【図１】本発明の第１の実施の形態に係る引き違いサッシを示す図であって、室内側からみた姿図である。
【図２】同、要部の横断面図である。
【図３】同、解錠状態の施錠装置の縦断面図である。
【図４】同、錠受けを上側から見た図である。
【図５】同、錠受けを室内側から見た図である。
【図６】同、解錠状態の錠本体部を室外側から見た斜視図である。
【図７】同、解錠状態の錠本体部を室内側から見た斜視図である。
【図８】同、解錠状態の錠本体部の側面図である。
【図９】同、解錠状態の錠本体部を室内側から見た図である。
【図１０】同、解錠状態の錠本体部を上側から見た図である。
【図１１】本発明の第２の実施の形態に係る引き違いサッシを示す図であって、要部の横断面図である。
【図１２】同、施錠装置の要部の縦断面図である。
【図１３】同、解錠状態の錠本体部を室外側から見た斜視図である。
【図１４】同、解錠状態の錠本体部を室内側から見た斜視図である。
【図１５】同、解錠状態の錠本体部の側面図である。
【図１６】同、解錠状態の錠本体部を室内側から見た図である。
【図１７】同、解錠状態の錠本体部を上側から見た図である。
【図１８】同、錠受けの側面図である。
【図１９】同、錠受けを室内側から見た図である。
【図２０】同、錠受けを上側から見た図である。
【図２１】本発明の第３の実施の形態に係る引き違いサッシを示す図であって、横断面図である。
【図２２】同、召合せ框部を室内側から見た斜視図である。
【図２３】同、内部の概略構成を示す状態で召合せ框部を室内側から見た斜視図である。
【図２４】同、解錠状態の施錠装置の側面図である。
【図２５】同、施錠状態の施錠装置の側面図である。
【図２６】同、錠受けの側面図である。
【図２７】同、錠受けを室内側から見た図である。
【図２８】同、錠受けを上側から見た図である。
【図２９】同、解錠状態の錠本体部の側面図である。
【図３０】同、解錠状態の錠本体部を室内側から見た図である。
【図３１】同、解錠状態の錠本体部を上側から見た図である。
【図３２】同、施錠途中の錠本体部の側面図である。
【図３３】同、施錠途中の錠本体部を室内側から見た図である。
【図３４】同、施錠途中の錠本体部を上側から見た図である。
【図３５】同、施錠状態の錠本体部の側面図である。
【図３６】同、施錠状態の錠本体部を室内側から見た図である。
【図３７】同、施錠状態の錠本体部を上側から見た図である。
【符号の説明】
【００６０】
７    外障子（障子）
８    内障子（障子）
１４    召合せ框
２４    召合せ框
Ｓ、Ｓ１、Ｓ２    施錠装置
３０、３０Ａ、３０Ｂ    錠受け
３５    貫通孔
４０、４０Ａ、４０Ｂ    錠本体部
４１    ケース
５０、９１    第１移動部材
５１    ばね（付勢部材）
５２、９５    係合部材
５３、９６    ばね（付勢部材）
５６、９８    第２移動部材
５７    ばね（付勢部材）
６０    操作部材
９２    係合棒（係合部）
９９    係合棒（係合部）
１２１    第１移動部材用案内孔（案内部）
１２２    第２移動部材用案内孔（案内部）
【図１】
2005315013.tif 000003
【図２】
2005315013.tif 000004
【図３】
2005315013.tif 000005
【図４】
2005315013.tif 000006
【図５】
2005315013.tif 000007
【図６】
2005315013.tif 000008
【図７】
2005315013.tif 000009
【図８】
2005315013.tif 000010
【図９】
2005315013.tif 000011
【図１０】
2005315013.tif 000012
【図１１】
2005315013.tif 000013
【図１２】
2005315013.tif 000014
【図１３】
2005315013.tif 000015
【図１４】
2005315013.tif 000016
【図１５】
2005315013.tif 000017
【図１６】
2005315013.tif 000018
【図１７】
2005315013.tif 000019
【図１８】
2005315013.tif 000020
【図１９】
2005315013.tif 000021
【図２０】
2005315013.tif 000022
【図２１】
2005315013.tif 000023
【図２２】
2005315013.tif 000024
【図２３】
2005315013.tif 000025
【図２４】
2005315013.tif 000026
【図２５】
2005315013.tif 000027
【図２６】
2005315013.tif 000028
【図２７】
2005315013.tif 000029
【図２８】
2005315013.tif 000030
【図２９】
2005315013.tif 000031
【図３０】
2005315013.tif 000032
【図３１】
2005315013.tif 000033
【図３２】
2005315013.tif 000034
【図３３】
2005315013.tif 000035
【図３４】
2005315013.tif 000036
【図３５】
2005315013.tif 000037
【図３６】
2005315013.tif 000038
【図３７】
2005315013.tif 000039